(57)【要約】【課題】この発明は、接続されるパーソナルコンピュータからのデータを受信し、この受信したデータの処理に合わせて最適化した画像展開処理を行うことができる。【解決手段】ＭＦＰの画像展開部は、データ受信部で受信したデータの描画コマンドの解釈処理を行い、解釈処理の結果がプリントデータの場合、ＭＦＰの特性に合わせたプリンタ用パラメータを用いた描画処理を行ってプリンタ部で用紙に印刷し、解釈処理の結果がＰＣ−ＦＡＸデータの場合、ＭＦＰの特性に依存しないＰＣ−ＦＡＸ用パラメータを用いた描画処理を行い、さらに描画処理後のデータに対して解像度変換等のファクシミリ画像への変換処理を行ってインターフェース部を介して公衆回線を経由してファクシミリ送信を行う。【選択図】  図２
2007053772.tif 000002
【特許請求の範囲】
【請求項１】
パーソナルコンピュータからのデータを受信してファクシミリ送信、または画像を形成する画像形成装置であって、
上記パーソナルコンピュータからのデータを受信した際、当該データの描画コマンドを解釈する解釈手段と、
この解釈手段の解釈結果が画像形成するデータであった場合、第１のパラメータを用いて描画処理して画像を形成する制御を行う第１の制御手段と、
上記解釈手段の解釈結果がファクシミリ送信するデータであった場合、上記第１のパラメータとは異なる第２のパラメータを用いて描画処理してファクシミリ送信する制御を行う第２の制御手段と、
を具備する画像形成装置。
【請求項２】
上記第１の制御手段は、描画処理された画像データに基づいて画像形成手段を用いて画像を形成する制御を行うことを特徴とする請求項１に記載の画像形成装置。
【請求項３】
上記第２の制御手段は、描画処理後のデータに対して解像度変換等のファクシミリ画像への変換処理を行って公衆回線を介してファクシミリ送信を行うことを特徴とする請求項１に記載の画像形成装置。
【請求項４】
上記第１のパラメータは、当該画像形成装置の特性に合わせたパラメータであり、上記第２のパラメータは、当該画像形成装置の特性に依存しないパラメータであることを特徴とする請求項１に記載の画像形成装置。
【請求項５】
上記第１,第２のパラメータは、多値データを２値化する際の閾値が用いられ、上記基準値は、当該画像形成装置の設置時における上記取得手段で取得された受信感度値とすることを特徴とする請求項１に記載の画像形成装置。
【請求項６】
上記第１,第２のパラメータは、ガンマテーブルが用いられることを特徴とする請求項１に記載の画像形成装置。
【請求項７】
上記第１,第２のパラメータは、細線化処理の閾値が用いられることを特徴とする請求項１に記載の画像形成装置。
【請求項８】
上記第１,第２のパラメータは、色変換時のパラメータが用いられることを特徴とする請求項１に記載の画像形成装置。
【請求項９】
パーソナルコンピュータからのデータを受信してファクシミリ送信、または画像を形成する画像形成装置の制御方法において、
上記パーソナルコンピュータからのデータを受信した際、当該データの描画コマンドを解釈し、
この解釈結果が画像形成するデータであった場合、第１のパラメータを用いて描画処理して画像を形成する制御を行い、
上記解釈結果がファクシミリ送信するデータであった場合、上記第１のパラメータとは異なる第２のパラメータを用いて描画処理してファクシミリ送信する制御を行うものである画像形成装置の制御方法。
【請求項１０】
上記第２のパラメータを用いて描画処理した後、この描画処理後のデータに対して解像度変換等のファクシミリ画像への変換処理を行って公衆回線を介してファクシミリ送信する制御を行うことを特徴とする請求項９に記載の画像形成装置の制御方法。
【発明の詳細な説明】
【技術分野】
【０００１】
この発明は、接続されるパーソナルコンピュータからのデータを受信してファクシミリ送信、あるいは画像を形成することのできる画像形成装置と制御方法に関する。
【背景技術】
【０００２】
従来、デジタル複合機（ＭＦＰ：Multi Function Peripheral）にパーソナルコンピュータ（ＰＣ）がＬＡＮで接続されている状態において、ＰＣ側にプリンタドライバ（ＰＣ−Ｆａｘを含む）をインストールし、ＰＣ上で作成した文書をＭＦＰへ送付し、ＭＦＰ側で送付された文書を処理し、プリント、あるいはファクシミリ送信、画像データとして記憶（Ｂｏｘ機能）などをすることが行われている。
【特許文献１】特開２００２−０４４２５０号公報
【発明の開示】
【発明が解決しようとする課題】
【０００３】
しかしながら、これらの場合、下記のような不都合が生じている。
【０００４】
これまでは、ＰＣから送られてくるデータの処理を、通常、ＭＦＰの印刷特性を考慮した画一的な画像展開処理としていた。従って、プリントとしてＭＦＰから出力される場合には、最適化された画像として出力されるが、同じ印刷用データを使ってＰＣ−Ｆａｘとしてファクシミリ送信し、送信先でプリントされる場合にはそこでの印字特性により特性が合わない等、期待した画像が印刷されない場合があった。
【０００５】
また、複数のＭＦＰがあり、それぞれに印字特性が違うような場合には、同じＰＣで作成した文書でも処理を行うＭＦＰ（送信元）によって画像展開処理が異なり、受け取るファクシミリ機が同じでも送信元によって画像に差が出る場合があった。
【０００６】
この発明は、接続されるパーソナルコンピュータからのデータを受信し、この受信したデータの処理に合わせて最適化した画像展開処理を行うことのできる画像形成装置と制御方法を提供することを目的とする。
【課題を解決するための手段】
【０００７】
この発明は、パーソナルコンピュータからのデータを受信してファクシミリ送信、または画像を形成する画像形成装置であって、上記パーソナルコンピュータからのデータを受信した際、当該データの描画コマンドを解釈する解釈手段と、この解釈手段の解釈結果が画像形成するデータであった場合、第１のパラメータを用いて描画処理して画像を形成する制御を行う第１の制御手段と、上記解釈手段の解釈結果がファクシミリ送信するデータであった場合、上記第１のパラメータとは異なる第２のパラメータを用いて描画処理してファクシミリ送信する制御を行う第２の制御手段とを具備するものである。
【０００８】
この発明は、パーソナルコンピュータからのデータを受信してファクシミリ送信、または画像を形成する画像形成装置の制御方法において、上記パーソナルコンピュータからのデータを受信した際、当該データの描画コマンドを解釈し；この解釈結果が画像形成するデータであった場合、第１のパラメータを用いて描画処理して画像を形成する制御を行い；上記解釈結果がファクシミリ送信するデータであった場合、上記第１のパラメータとは異なる第２のパラメータを用いて描画処理してファクシミリ送信する制御を行うものである。
【発明の効果】
【０００９】
この発明は、この発明は、接続されるパーソナルコンピュータからのデータを受信し、この受信したデータの処理に合わせて最適化した画像展開処理を行うことのできる画像形成装置と制御方法を提供できる。
【発明を実施するための最良の形態】
【００１０】
以下、この発明の一実施の形態について図面を参照して説明する。
【００１１】
図１は、この発明の画像形成装置に係るデジタル複合機（ＭＦＰ）の概略構成を示すものである。デジタル複合機（ＭＦＰ）１は、ＬＡＮ３を介してパーソナルコンピュータ（ＰＣ）２が接続されている。
【００１２】
また、デジタル複合機（ＭＦＰ）１は、全体の制御を司る制御部と共に画像展開処理を行う画像展開部１０、原稿の画像を読み取るスキャナ部１１、画像データに基づいて用紙に画像を形成するプリンタ部１２、ＰＣ２からのデータを受信するデータ受信部１３、及び画像展開部１０から出力されるファクシミリデータを公衆回線へ接続するインターフェース１４とから構成されている。
【００１３】
図２は、画像展開処理の流れを説明するものである。
【００１４】
ＰＣ２のプリンタドライバ２１で作成されたデータ（プリントデータ）は、ＬＡＮ３を経由してＭＦＰ１のデータ受信部１３で受信される。
【００１５】
ここで、画像展開部１０では、受信したデータにおける描画コマンドの解釈処理を行う。上述したようにプリントデータの場合、このプリントデータは、ＭＦＰ１の特性に合わせたプリンタ用パラメータを用いた描画処理が行われ、プリンタ部１２で印刷物として用紙にプリントアウトされる。
【００１６】
また、ＰＣ２のＰＣ−ＦＡＸドライバ２２で作成されたデータ（ＰＣ−ＦＡＸデータ：ファクシミリデータ）は、ＬＡＮ３を経由してＭＦＰ１のデータ受信部１３で受信される。
【００１７】
ここで、画像展開部１０では、受信したデータにおける描画コマンドの解釈処理を行う。上述したようにＰＣ−ＦＡＸデータの場合、このＰＣ−ＦＡＸデータは、ＭＦＰ１の特性に依存しないＰＣ−ＦＡＸ用パラメータを用いた描画処理が行われ、解像度変換等のファクシミリ（ＦＡＸ）画像への変換処理が行われ、インターフェース（Ｉ／Ｆ）１４を介して公衆回線を経由してファクシミリ送信される。
【００１８】
次に、このような構成において、ＰＣから送信されるデータの画像展開処理を図３のフローチャートを参照して説明する。
【００１９】
まず、ＰＣ２は、プリントアウトする場合、プリンタドライバ２１を用いてＬＡＮ３を介してＭＦＰ１にデータを送信する（ＳＴ１）。また、ＰＣ２は、ファクシミリ送信する場合、ＰＣ−ＦＡＸドライバを用いてＬＡＮ３を介してＭＦＰ１にデータを送信する（ＳＴ１）。
【００２０】
ＭＦＰ１の画像展開部１０は、データ受信部１３で受信したデータの描画コマンドの解釈処理を行う（ＳＴ２）。
【００２１】
解釈処理の結果がプリントデータの場合（ＳＴ３）、画像展開部１０は、ＭＦＰ１の特性に合わせたプリンタ用パラメータを用いた描画処理を行う（ＳＴ４）。
【００２２】
続いて、プリンタ部１２は、画像展開部１０で描画処理された画像データに基づいて用紙に印刷して印刷物を出力する（ＳＴ５）。
【００２３】
また、ステップＳＴ３において、解釈処理の結果がＰＣ−ＦＡＸデータの場合、画像展開部１０は、ＭＦＰ１の特性に依存しないＰＣ−ＦＡＸ用パラメータを用いた描画処理を行う（ＳＴ６）。さらに、画像展開部１０は、描画処理後のデータに対して解像度変換等のファクシミリ画像への変換処理を行ってインターフェース部１４を介して公衆回線を経由してファクシミリ送信を行う（ＳＴ７）。
【００２４】
なお、上述したパラメータは、ＭＦＰ特性にあわせたものではなく、例えば、下記１〜４に示すようなパラメータを複数用意し、最適なパラメータを解釈処理結果に応じて選択するようにしても良い。
【００２５】
１．多値データを２値化する際の閾値（一般的にはスクリーンとかハーフトーンテーブルとか呼ばれる）
２．ガンマテーブル（濃度カーブ）
３．細線化処理（ツインラインリミット（Thin Line Limit））の閾値（例えば、２ドット以下の細線は２ドットラインにしてしまう場合の２ドットという値）
４．色変換時のパラメータ（ＲＧＢやＣＭＹＫをgreyにするときの計算式で使用するパラメータ）
また、上述した実施例では、画像展開部１０でソフトウェアを用いて処理を行ったが、ハードウェアを用いて処理するようにしても良い。
【００２６】
また、上述した実施例では、ＭＦＰ１とＰＣ２とをＬＡＮ３で接続したが、パラレルケーブルでも良く、プリンタドライバ出力データの入ったＵＳＢメモリを用いても良い。
【００２７】
以上説明したように上記発明の実施の形態によれば、ＰＣから送信されるデータに応じてパラメータを選択して画像展開処理を行うことにより、最適化した処理を行うことができる。
【００２８】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００２９】
【図１】この発明の画像形成装置に係るデジタル複合機（ＭＦＰ）の概略構成を示すブロック図。
【図２】画像展開処理の流れを説明するための図。
【図３】ＰＣから送信されるデータの画像展開処理を説明するためのフローチャートである。
【符号の説明】
【００３０】
１０…画像展開部、１１…スキャナ部、１２…プリンタ部、１３…データ受信部、１４…インターフェース。
【図１】
2007053772.tif 000003
【図２】
2007053772.tif 000004
【図３】
2007053772.tif 000005